(57)【要約】【課題】コンパクトに収納でき、かつ、使用する際に容易に組み立てることができる屏風型行燈枠を提供すること。【解決手段】本考案の屏風型行燈枠１は、表面に絵柄が表示された装飾面状部材５が貼付され、裏面に下地面状部材４が貼付された複数の枠部材２と、隣り合う枠部材２の間に配置されて連結させる連結部材３と、を備え、連結部材３は、隣り合う枠部材２のうち、一方の表面と他方の裏面とに貼付される第１連結部材と、隣り合う枠部材２のうち、他方の表面と一方の裏面とに貼付される第２連結部材と、を有し、複数の枠部材２は、光源を囲うように配置可能に構成され、隣り合う枠部材２の一方は他方に対して折り畳み可能に構成される。【選択図】図１
0003230893.tif 000002
【実用新案登録請求の範囲】
【請求項１】
表面に絵柄が表示された装飾面状部材が貼付され、裏面に下地面状部材が貼付された複数の枠部材と、
隣り合う前記枠部材の間に配置されて連結させる連結部材と、を備え、
前記連結部材は、
隣り合う前記枠部材のうち、一方の表面と他方の裏面とに貼付される第１連結部材と、
隣り合う前記枠部材のうち、他方の表面と一方の裏面とに貼付される第２連結部材と、を有し、
複数の前記枠部材は、光源を囲うように配置可能に構成され、
隣り合う前記枠部材の一方は他方に対して折り畳み可能に構成される
ことを特徴とする屏風型行燈枠。
【請求項２】
請求項１に記載の屏風型行燈枠において、
前記枠部材は、互いに平行に立設された２つの柱状部材と、２つの前記柱状部材の端部に架けられる梁部材と、２つの前記柱状部材の間に渡される桟部材と、を有する
ことを特徴とする屏風型行燈枠。
【請求項３】
請求項２に記載の屏風型行燈枠において、
２つの前記柱状部材には、立設される方向に沿って、前記連結部材の端部が貼付される凹部が形成されている
ことを特徴とする屏風型行燈枠。
【請求項４】
請求項２または請求項３に記載の屏風型行燈枠において、
前記柱状部材の前記連結部材が貼付されない箇所には、化粧用面状部材が貼付される
ことを特徴とする屏風型行燈枠。
【請求項５】
請求項１から請求項４のいずれか一項に記載の屏風型行燈において、
前記連結部材は、和紙を用いて形成されている
ことを特徴とする屏風型行燈枠。
【考案の詳細な説明】
【技術分野】
【０００１】
本考案は、屏風型行燈枠に関する。
【背景技術】
【０００２】
古来より、油皿やロウソク等の光源を、和紙を貼った木枠や竹枠で囲った行燈と称される照明装置が知られている（例えば、特許文献１等）。
【０００３】
特許文献１では、光源を囲う透光枠を分解可能に構成することにより、照明装置を使用しない際に簡単に収納できるようにしている。
【先行技術文献】
【特許文献】
【０００４】
【特許文献１】実用新案登録第３１３４９５６号公報
【考案の概要】
【考案が解決しようとする課題】
【０００５】
特許文献１では、照明装置を組み立てる際に、光源スタンドのベース台の形状に応じて、４本の支柱部材と４枚の透光枠とを山折りに連結させる必要がある。そのため、照明装置の組み立てに手間がかかってしまうといった問題があった。
【課題を解決するための手段】
【０００６】
本考案の屏風型行燈枠は、表面に絵柄が表示された装飾面状部材が貼付され、裏面に下地面状部材が貼付された複数の枠部材と、隣り合う前記枠部材の間に配置されて連結させる連結部材と、を備え、前記連結部材は、隣り合う前記枠部材のうち、一方の表面と他方の裏面とに貼付される第１連結部材と、隣り合う前記枠部材のうち、他方の表面と一方の裏面とに貼付される第２連結部材と、を有し、複数の前記枠部材は、光源を囲うように配置可能に構成され、隣り合う前記枠部材の一方は他方に対して折り畳み可能に構成されることを特徴とする。
【０００７】
このような本考案では、光源を囲うように配置可能に構成された枠部材は、隣り合う枠部材の間に配置されて連結させる連結部材により連結されている。そして、連結部材は、隣り合う枠部材のうち、一方の表面と他方の裏面とに貼付される第１連結部材と、他方の表面と一方の裏面とに貼付される第２連結部材と、を有して構成される。これにより、複数の枠部材は、連結された状態で折り畳むことができる。そのため、収納する際は、折り畳むことでコンパクトにすることができ、かつ、使用する際は、連結されているので、容易に組み立てることができる。
【０００８】
本考案の屏風型行燈枠において、前記枠部材は、互いに平行に立設された２つの柱状部材と、２つの前記柱状部材の端部に架けられる梁部材と、２つの前記柱状部材の間に渡される桟部材と、を有することが好ましい。
このような本考案では、枠部材は２つの柱状部材と、梁部材と、桟部材とで構成されている。そのため、枠部材の構造を容易にできる。
【０００９】
本考案の屏風型行燈枠において、２つの前記柱状部材には、立設される方向に沿って、前記連結部材の端部が貼付される凹部が形成されていることが好ましい。
このような本考案では、連結部材の端部を、柱状部材に形成された凹部に貼付することができる。これにより、仮に、連結部材の端部が捲れてしまっても、当該捲れた部分は凹部の中に収納されるので、捲れた部分を目立ちにくくすることができる。そのため、連結部材の端部が捲れて見栄えが悪くなってしまうことを抑制することができる。
【００１０】
本考案の屏風型行燈枠において、前記柱状部材の前記連結部材が貼付されない箇所には、化粧用面状部材が貼付されることが好ましい。
このような本考案では、柱状部材において、連結部材が貼付されない箇所に化粧用面状部材が貼付されるので、連結部材が貼付された箇所と、連結部材が貼付されない箇所とで見栄えを同じようにすることができる。そのため、柱状部材の見栄えが悪くなってしまうことを抑制することができる。
【００１１】
本考案の屏風型行燈枠において、連結部材は和紙を用いて形成されていることが好ましい。
このような本考案では、連結部材が和紙を用いて形成されているので、連結部材の強度を確保でき、かつ、風合いを良くすることができる。
【図面の簡単な説明】
【００１２】
【図１】本考案の一実施形態に係る屏風型行燈枠を示す斜視図。
【図２】前記実施形態の枠部材の概略を示す正面図。
【図３】前記実施形態の枠部材の概略を示す拡大斜視図。
【図４】前記実施形態の枠部材の連結状態を示す斜視図。
【図５】図１とは別の状態の屏風型行燈枠を示す斜視図。
【図６】屏風型に展開した屏風型行燈枠を示す斜視図。
【図７】折り畳んだ状態の屏風型行燈枠を示す斜視図。
【考案を実施するための形態】
【００１３】
［実施形態］
以下、本考案の一実施形態に係る屏風型行燈枠１を図面に基づいて説明する。
図１は、屏風型行燈枠１を示す斜視図である。
図１に示すように、本実施形態の屏風型行燈枠１は、４つの枠部材２を有し、当該４つの枠部材２にてロウソクや油皿等の光源（図示略）を囲うことができる所謂行燈の枠として構成されている。
そして、枠部材２は、第１枠部材２１、第２枠部材２２、第３枠部材２３、および、第４枠部材２４から構成され、それぞれ隣り合う枠部材２は連結部材３にて連結されている。
また、それぞれの枠部材２の表面および裏面には、下地面状部材４が貼付されており、さらに、表面に貼付された下地面状部材の表側には、装飾面状部材５が貼付されている。
【００１４】
［枠部材２］
図２は、枠部材２の概略を示す正面図であり、図３は、枠部材２の概略を示す拡大斜視図である。なお、図２、図３では、４つの枠部材２のうちの１つである第１枠部材２１を示しているが、他の３つの枠部材２２，２３，２４も第１枠部材２１と同様の形状をしている。さらに、図２、図３では、下地面状部材４および装飾面状部材５を貼付する前の第１枠部材２１を示している。
図２、図３に示すように、第１枠部材２１は、第１柱状部材２１１と、第２柱状部材２１２と、梁部材２１３と、桟部材２１４とを有している。
【００１５】
第１柱状部材２１１および第２柱状部材２１２は、木材や竹材等により形成され、互いに平行に立設されている。そして、本実施形態では、第１柱状部材２１１における第２柱状部材２１２と対向する側の端部に第１段差部２１１１が形成されている。さらに、第１柱状部材２１１の中心部には、第１柱状部材２１１の軸方向に沿って第１凹部２１１２が形成されている。そして、第１凹部２１１２は、断面視で略三角形状とされている。
なお、図２、図３では、第１柱状部材２１１の表面側に形成される第１段差部２１１１および第１凹部２１１２を図示しているが、第１段差部２１１１および第１凹部２１１２は、第１柱状部材２１１の裏面側にも形成されている。
【００１６】
また、本実施形態では、第２柱状部材２１２における第１柱状部材２１１と対向する側の端部に第２段差部２１２１が形成されている。さらに、第２柱状部材２１２の中心部には、第２柱状部材２１２の軸方向に沿って第２凹部２１２２が形成されている。そして、第２凹部２１２２は、第１凹部２１１２と同様に、断面視で三角形状とされている。
なお、図２では、第２柱状部材２１２の表面側に形成される第２段差部２１２１および第２凹部２１２２を図示しているが、第２段差部２１２１および第２凹部２１２２は、第２柱状部材２１２の裏面側にも形成されている。
【００１７】
梁部材２１３は、木材や竹材等により形成され、第１柱状部材２１１および第２柱状部材２１２の上端部に架けられている。本実施形態では、梁部材２１３の両端部、第１柱状部材２１１の上端部、および、第２柱状部材２１２の上端部は留め切りされている。そして、第１柱状部材２１１の上端部と梁部材２１３の一方の端部とが接着剤等により接着され、第２柱状部材２１２の上端部と梁部材２１３の他方の端部とが接着剤により接着されている。
そして、本実施形態では、梁部材２１３における下端部に第３段差部２１３１が形成されている。第３段差部２１３１は、一方の端部が第１段差部２１１１と連続し、他方の端部が第２段差部２１２１と連続するように形成されている。
なお、図２では、梁部材２１３の表面側に形成される第３段差部２１３１を図示しているが、第３段差部２１３１は、梁部材２１３の裏面側にも形成されている。
【００１８】
桟部材２１４は、木材や竹材等により形成され、第１柱状部材２１１および第２柱状部材２１２の間に渡されている。本実施形態では、桟部材２１４の一方の端部が第１柱状部材２１１の側面に接着剤等により接着され、他方の端部が第２柱状部材２１２の側面に接着剤等により接着されている。
そして、本実施形態では、桟部材２１４における上端部に第４段差部２１４１が形成されている。第４段差部２１４１は、一方の端部が第１段差部２１１１と連続し、他方の端部が第２段差部２１２１と連続するように形成されている。
なお、図２、図３では、桟部材２１４の表面側に形成される第４段差部２１４１を図示しているが、第４段差部２１４１は、桟部材２１４の裏面側にも形成されている。
【００１９】
このように、本実施形態では、第１段差部２１１１、第２段差部２１２１、第３段差部２１３１、および、第４段差部２１４１により連続した収納部が形成されている。そして、枠部材２１の表面および裏面に形成された段差部２１１１，２１２１，２１３１，２１４１に、それぞれ下地面状部材４（図１参照）が貼付されている。さらに、枠部材２１の表面側に形成された段差部２１１１，２１２１，２１３１，２１４１には、下地面状部材４を覆うように装飾面状部材５が貼付されている。
【００２０】
［連結部材３］
図４は、枠部材２の連結状態を示す斜視図である。なお、図４では、第１枠部材２１および第２枠部材２２の連結状態を示している。また、図４では、下地面状部材４および装飾面状部材５を貼付する前の状態を示している。
図４に示すように、隣り合う第１枠部材２１および第２枠部材２２を連結される連結部材３は、第１枠部材２１および第２枠部材２２の間に配置される所謂蝶番であり、第１連結部材３１と、第２連結部材３２とを備える。
なお、第２枠部材２２は、前述した第１枠部材２１と同様に、第１柱状部材（図示略）、第２柱状部材２２２、梁部材２２３、および、桟部材２２４により構成されている。
【００２１】
第１連結部材３１は、帯状の無地の和紙を用いて形成されており、第１枠部材２１および第２枠部材２２の上端部付近と、下部付近に配置されている。
本実施形態では、第１連結部材３１は、一方の端部が第２枠部材２２の第２柱状部材２２２の表面側に形成された第２凹部２２２２に貼付され、他方の端部が第１枠部材２１の第１柱状部材２１１の裏面側に形成された第１凹部（図示略）に貼付されている。この際、第１連結部材３１における第１枠部材２１と第２枠部材２２との中間に位置する部分は、いずれの枠部材２１，２２にも貼付されず、固定されていない状態となっている。
なお、本実施形態における和紙は、ミツマタやコウゾ等の靭皮繊維を原料として手漉きで作られた所謂「和紙」だけに限られず、パルプ、マニラ麻、合成繊維、不織布等から和紙の風合いを模して作られたものを含む。前述した下地面状部材４、装飾面状部材５、第２連結部材３２、および、後述する化粧用面状部材６を構成する和紙も同様である。
【００２２】
第２連結部材３２は、帯状の無地の和紙を用いて形成されており、第１枠部材２１および第２枠部材２２の中央部付近、すなわち、２つの第１連結部材３１の間に配置されている。
本実施形態では、第２連結部材３２は、一方の端部が第１枠部材２１の第１柱状部材２１１の表面側に形成された第１凹部２１１２に貼付され、他方の端部が第２枠部材２２の第２柱状部材２２２の裏面側に形成された第２凹部（図示略）に貼付されている。この際、第２連結部材３２における第１枠部材２１と第２枠部材２２との中間に位置する部分は、いずれの枠部材２１，２２にも貼付されず、固定されていない状態となっている。
【００２３】
すなわち、第１連結部材３１および第２連結部材３２において、第１枠部材２１と第２枠部材２２との中間に位置する部分は貼付されておらず、固定されていない状態になっている。これにより、第１枠部材２１と第２枠部材２２とは、枠部材２１，２２の表面側の長辺に沿った回転軸と、裏面側の長辺に沿った回転軸との２つの回転軸にて回動させることができる。そのため、第１枠部材２１と第２枠部材２２とは、任意の角度で回動させることができる。
なお、本実施形態では、第２枠部材２２および第３枠部材２３、第１枠部材２１および第４枠部材２４は、上記と同様に連結部材３によって連結されるので、それぞれ任意の角度で回動させることができる。
【００２４】
また、本実施形態では、第１枠部材２１の第１柱状部材２１１、および、第２枠部材２２の第２柱状部材２２２において、連結部材３が貼付されない箇所には、化粧用面状部材６が貼付されている。
化粧用面状部材６は、第１化粧用面状部材６１、第２化粧用面状部材６２、および、第３化粧用面状部材６３を有する。
第１化粧用面状部材６１は、帯状の無地の和紙を用いて形成されており、上端部付近に貼付された第１連結部材３１と対称となるように、第１柱状部材２１１の側面に貼付されている。
第２化粧用面状部材６２は、帯状の無地の和紙を用いて形成されており、第２連結部材３２と対称となるように、第２柱状部材２２２の側面に貼付されている。
第３化粧用面状部材６３は、帯状の無地の和紙を用いて形成されており、下部付近に貼付された第１連結部材３１と対称となるように、第１柱状部材２１１の側面に貼付されている。
【００２５】
このように、本実施形態では、連結部材３と同様に無地の和紙を用いて形成された化粧用面状部材６が、連結部材３が貼付されない箇所に貼付されるので、連結部材３が貼付される箇所と貼付されない箇所とで見栄えを統一できる。
【００２６】
［下地面状部材４］
図１に戻って、下地面状部材４は、矩形状の無地の和紙を用いて形成されており、各枠部材２の表面側と裏面側とに貼付されている。具体的には、前述したように、枠部材２の表面側および裏面側に形成された段差部２１１１，２１２１，２１１３，２１１４に収納されるように貼付されている。
【００２７】
［装飾面状部材５］
装飾面状部材５は、矩形状の和紙を用いて形成されており、表面側には絵柄が表示されている。そして、前述したように、装飾面状部材５は、前述したように、表面側に貼付された下地面状部材４を覆うように貼付されている。
また、本実施形態では、装飾面状部材５は、第１枠部材２１に貼付される第１装飾面状部材５１、第２枠部材２２に貼付される第２装飾面状部材５２、第３枠部材２３に貼付される第３装飾面状部材５３、および、第４枠部材２４に貼付される第４装飾面状部材５４を有している（図６参照）。そして、各装飾面状部材５１，５２，５３，５４には、それぞれ異なる絵柄が表示されている。
このように、本実施形態では、枠部材２の表面側に、絵柄が表示された装飾面状部材５が貼付されているので、枠部材２の内側に配置される光源の明かりを灯した際に、絵柄が浮き出るように演出することができ、風合いを楽しむことができる。
【００２８】
［屏風型行燈枠１の展開方法および収納方法］
次に、本実施形態の屏風型行燈枠１の展開方法および収納方法について説明する。
図５は、図１とは別の状態の屏風型行燈枠１を示す斜視図であり、図６は、屏風型に展開した屏風型行燈枠１を示す斜視図であり、図７は折り畳んだ状態の屏風型行燈枠１を示す斜視図である。
図５に示すように、各枠部材２１，２２，２３，２４は、前述したように任意の角度で回動させることができるので、無地の下地面状部材４が外側に配置されるように、屏風型行燈枠１を組み立てることもできる。そのため、例えば、質素な風合いを楽しみたい場合等に、無地の面を外側に向けることができる。
【００２９】
また、図６に示すように、各枠部材２１，２２，２３，２４を屏風型に展開することもできる。そのため、例えば、和室等において仕切を設けたい場合に、屏風型行燈枠１を屏風型に展開すれば、屏風型行燈枠１を仕切りとして使用することもできる。
【００３０】
さらに、図７に示すように、各枠部材２１，２２，２３，２４は任意の角度で回動させることができるので、屏風型行燈枠１を折り畳んで収納することもできる。そのため、収納の際のスペースを小さくすることができる。また、屏風型行燈枠１を構成する各枠部材２１，２２，２３，２４は、折り畳まれた状態においても連結部材３により連結されているので、屏風型行燈枠１を使用する際に、各枠部材２１，２２，２３，２４を連結させる必要がない。そのため、屏風型行燈枠１の組み立てを容易にすることができる。さらに、各枠部材２１，２２，２３，２４は折り畳まれた状態においても連結されているので、いずれかの枠部材２を誤って紛失してしまうおそれがない。
【００３１】
以上のような本実施形態では、以下の効果がある。
（１）本実施形態では、光源を囲うように配置可能に構成された枠部材２は、隣り合う枠部材２の間に配置されて連結させる連結部材３により連結されている。そして、連結部材３は、隣り合う枠部材２のうち、一方の表面と他方の裏面とに貼付される第１連結部材３１と、他方の表面と一方の裏面とに貼付される第２連結部材３２と、を有して構成される。これにより、複数の枠部材２は、連結された状態で折り畳むことができる。そのため、収納する際は、折り畳むことでコンパクトにすることができ、かつ、使用する際は、連結されているので、容易に組み立てることができる。
【００３２】
（２）本実施形態では、第１枠部材２１は２つの柱状部材２１１，２１２と、梁部材２１３と、桟部材２１４とで構成されている。そのため、第１枠部材２１の構造を容易にできる。
【００３３】
（３）本実施形態では、連結部材３の端部を、柱状部材２１１，２２２に形成された凹部２１１２，２２２２に貼付することができる。これにより、仮に、連結部材３の端部が捲れてしまっても、当該捲れた部分は凹部２１１２，２２２２の中に収納されるので、捲れた部分を目立ちにくくすることができる。そのため、連結部材３の端部が捲れて見栄えが悪くなってしまうことを抑制することができる。
【００３４】
（４）本実施形態では、柱状部材２１１，２２２において、連結部材３が貼付されない箇所に化粧用面状部材６が貼付されるので、連結部材３が貼付された箇所と、連結部材３が貼付されない箇所とで見栄えを同じようにすることができる。そのため、柱状部材２１１，２２２の見栄えが悪くなってしまうことを抑制することができる。
【００３５】
（５）本実施形態では、連結部材３が和紙を用いて形成されているので、連結部材３の強度を確保でき、かつ、風合いを良くすることができる。
【００３６】
［変形例］
なお、本考案は前述の実施形態に限定されるものではなく、本考案の目的を達成できる範囲での変形、改良等は本考案に含まれる。
前記実施形態では、連結部材３は、２つの第１連結部材３１と、１つの第２連結部材３２とを備えて構成されていたが、これに限定されない。例えば、連結部材は、２つの帯状の部材にて構成されていてもよく、あるいは、４つ以上の帯状の部材にて構成されていてもよい。
【００３７】
前記実施形態では、装飾面状部材５の表面側には絵柄が表示されていたが、これに限定されない。例えば、装飾面状部材には、市松模様や文字等が表示されていてもよい。また、各装飾面状部材には、同じ絵柄や文字が表示されていてもよい。
さらに、装飾面状部材は、洋紙やフィルム等を用いて形成されていてもよい。
【００３８】
前記実施形態では、屏風型行燈枠１は、４つの枠部材２１，２２，２３，２４により構成されていたが、これに限定されない。例えば、屏風型行燈枠は、３つの枠部材により構成されていてもよく、あるいは、５つ以上の枠部材により構成されていてもよい。
【符号の説明】
【００３９】
１…屏風型行燈枠、２…枠部材、３…連結部材、４…下地面状部材、５…装飾面状部材、６…化粧用面状部材、２１…第１枠部材、２２…第２枠部材、２３…第３枠部材、２４…第４枠部材、３１…第１連結部材、３２…第２連結部材、５１…第１装飾面状部材、５２…第２装飾面状部材、５３…第３装飾面状部材、５４…第４装飾面状部材、６１…第１化粧用面状部材、６２…第２化粧用面状部材、６３…第３化粧用面状部材、２１１…第１柱状部材、２１２…第２柱状部材、２１３…梁部材、２１４…桟部材、２１１１…第１段差部、２１１２…第１凹部、２１２１…第２段差部、２１２２…第２凹部、２１３１…第３段差部、２１４１…第４段差部。
【図１】
0003230893.tif 000003
【図２】
0003230893.tif 000004
【図３】
0003230893.tif 000005
【図４】
0003230893.tif 000006
【図５】
0003230893.tif 000007
【図６】
0003230893.tif 000008
【図７】
0003230893.tif 000009